(57)【特許請求の範囲】
【請求項１】
胴部と、前記胴部の上面に接合されるリム部と、を備える便器であって、
前記便器は、該便器の後方側に形成され機能部を配置するために下方に窪む収容部を有し、
前記収容部における前記胴部と前記リム部との接合部である収容部側接合部の接合位置は、前記収容部よりも前記便器の前方側における前記胴部と前記リム部との接合部である前方側接合部の接合位置よりも下方に位置し、
前記前方側接合部は、前記便器の上面とほぼ平行である便器。
【請求項２】
胴部と、前記胴部の上面に接合されるリム部と、を備える便器であって、
前記便器は、該便器の後方側に形成され機能部を配置するために下方に窪む収容部を有し、
前記収容部における前記胴部と前記リム部との接合部である収容部側接合部の接合位置は、前記収容部よりも前記便器の前方側における前記胴部と前記リム部との接合部である前方側接合部の接合位置よりも下方に位置し、
前記収容部側接合部は、前記収容部側接合部における前記便器の前方側に形成され後方側が下る下り傾斜接合部と、前記収容部側接合部における前記便器の後方側に形成され後方側が上る上り傾斜接合部と、を有する便器。
【請求項３】
前記収容部は、前記収容部側接合部から上方に立ち上がる外壁部を有する請求項１又は２に記載の便器。
【請求項４】
前記収容部は、前記外壁部の下端から水平方向に延びる中段部を有する請求項３に記載の便器。
【請求項５】
前記収容部側接合部の接合位置は、上下方向において、前記リム部の上端と前記収容部の底部の上面との間に位置する請求項１から４のいずれかに記載の便器。
【請求項６】
前記収容部は、前記収容部側接合部から、下り傾斜部を経て、窪んで形成される請求項５に記載の便器。
【請求項７】
前記前方側接合部において、前記胴部の側面に連続する前記リム部の端部の外面は、前記便器の外方に凸となるＲ形状に形成される請求項１から６のいずれかに記載の便器。
【発明の詳細な説明】
【技術分野】
【０００１】
本発明は、胴部と、胴部の上面に接合されるリム部と、を備える便器に関する。
【背景技術】
【０００２】
従来、胴部と、胴部の上面に接合されるリム部と、を備える便器が知られている（例えば、特許文献１参照）。特許文献１に記載の便器においては、胴部とリム部との接合部は、接着部材である泥しょうを胴部に載せやすいように、ほぼ水平なライン状に形成されている。胴部とリム部とは、接着部材である泥しょうにより接合されて、その後、焼成される。
【０００３】
ところで、一般的に、便器装置においては、便器の後部の上部には、機能部が配置される。便器装置の後方側に機能部を配置する場合に、便器装置全体の高さを小さくするために、機能部を収容する収容部を、便器の上面を窪ませて形成し、窪ませた収容部に機能部を収容して、機能部を低い位置に配置することがある。
【先行技術文献】
【特許文献】
【０００４】
【特許文献１】特開２０１４−０３４８６８号公報
【発明の概要】
【発明が解決しようとする課題】
【０００５】
機能部を配置する収容部を便器の上面を窪ませて形成する場合には、リム部の位置を下方に下げて収容部の空間を確保することが考えられる。しかし、リム部の位置を下方に下げる場合には、胴部とリム部との接合部の位置も下方に下げる必要性が生じる。胴部とリム部との接合部の位置を下げると、胴部とリム部との接合部が、便器の側面の上下方向の途中に位置するため、胴部とリム部との接合部における外部に露出する接合ラインが、便器の側面における上端部に近い側に位置するよりも、目立ちやすくなる。これにより、便器の外観の品位が低下する虞がある。
そのため、胴部とリム部との接合部について、外観の品位を向上できる便器が望まれる。
【０００６】
本発明は、胴部とリム部との接合部について、外観の品位を向上できる便器を提供することを目的とする。
【課題を解決するための手段】
【０００７】
本発明は、胴部（例えば、後述の胴部２１）と、前記胴部の上面に接合されるリム部（例えば、後述のリム部２２）と、を備える便器（例えば、後述の便器２）であって、前記便器は、該便器の後方側に形成され機能部（例えば、後述の機能部４）を配置するために下方に窪む収容部（例えば、後述の機能部収容部５）を有し、前記収容部における前記胴部と前記リム部との接合部である収容部側接合部（例えば、後述の収容部側接合部１３）の接合位置は、前記収容部よりも前記便器の前方側における前記胴部と前記リム部との接合部である前方側接合部（例えば、後述の前方側接合部１２）の接合位置よりも下方に位置する便器に関する。
【０００８】
また、前記収容部は、前記収容部側接合部から上方に立ち上がる外壁部（例えば、後述の外壁部５１）を有することが好ましい。
【０００９】
また、前記収容部は、前記外壁部の下端から水平方向に延びる中段部（例えば、後述の中段部５２）を有することが好ましい。
【００１０】
また、前記収容部側接合部の接合位置は、上下方向において、前記リム部の上端（例えば、後述の上端５１ａ）と前記収容部の底部（例えば、後述の底面部５４）の上面との間に位置することが好ましい。
【００１１】
また、前記収容部は、前記収容部側接合部から、下り傾斜部（例えば、後述の下り傾斜部５３）を経て、窪んで形成されることが好ましい。
【００１２】
また、前記前方側接合部において、前記胴部の側面に連続する前記リム部の端部の外面は、前記便器の外方に凸となるＲ形状に形成されることが好ましい。
【００１３】
また、前記収容部側接合部は、前記収容部側接合部における前記便器の前方側に形成され後方側が下る下り傾斜接合部（例えば、後述の下り傾斜接合部１４）と、前記収容部側接合部における前記便器の後方側に形成され後方側が上る上り傾斜接合部（例えば、後述の上り傾斜接合部１５）と、を有することが好ましい。
【発明の効果】
【００１４】
本発明によれば、胴部とリム部との接合部について、外観の品位を向上できる便器を提供することができる。
【図面の簡単な説明】
【００１５】
【図１】本発明の一実施形態に係る便器２を含む便器装置１を示す斜視図である。
【図２】本発明の一実施形態に係る胴部２１及びリム部２２が接合された便器２を示す斜視図である。
【図３】本発明の一実施形態に係る胴部２１及びリム部２２が接合された便器２を示す側面図である。
【図４】本発明の一実施形態に係る胴部２１及びリム部２２を分離した便器を示す分解斜視図である。
【図５】収容部側接合部１３における断面を示す断面図である。
【図６】前方側接合部１２における断面を示す断面図である。
【発明を実施するための形態】
【００１６】
以下、本発明の便器２を含む便器装置１の一実施形態について、図面を参照しながら説明する。なお、以下の説明においては、便器装置１の便座（図示せず）に座った人から視た場合の前後の向きを前後方向とする。また、便器装置１の便座（図示せず）に座った人から視た場合の左右の向きを左右方向とする。また、鉛直方向に沿った上下の向きを上下方向とする。
【００１７】
本実施形態の便器装置１は、図１及び図２に示すように、便器２と、便座（図示せず）と、便蓋３と、機能部４と、を備える。便座（図示せず）及び便蓋３は、便器２の上方において、便器２に対して回動可能に取り付けられる。
【００１８】
機能部４は、便器２の後部の上部に配置される。機能部４は、機能部材（図示せず）と、機能部材を覆うカバー部材４１と、を有する。機能部材としては、例えば、図示を省略するが、ホースや、洗浄ノズルや、電源ユニットや、制御回路基板や、便座（図示せず）及び便蓋３を電動で開閉させる電動開閉ユニットや、バルブユニットや、各種配管等が挙げられる。
【００１９】
便器２は、全周が衛生陶器で形成され、周方向において衛生陶器で囲われる。便器２は、図２に示すように、陶器製の胴部２１と、陶器製のリム部２２と、を有する。便器２は、胴部２１とリム部２２とが、接着部材である泥しょうにより接合されて、その後、焼成される。
【００２０】
便器２の製造工程を具体的に説明する。便器２は、陶器製であり、成形工程、接合工程、乾燥工程、施釉工程、焼成工程を経て製造される。成形工程では、便器２の下方側部分を構成する胴部２１と、便器２の上方側部分を構成するリム部２２とが、別々に鋳込み成形される。接合工程では、接着部材としての泥しょうを胴部２１及びリム部２２の間に配置して、胴部２１の上にリム部２２を重ね合わせ、胴部２１及びリム部２２を接合する。乾燥工程では、接合工程で接合された胴部２１及びリム部２２の接合部を乾燥させる。施釉工程では、乾燥工程で乾燥された胴部２１及びリム部２２に、装飾を施すと共に水分の吸収を防ぐために、便器２の表面に釉薬をかける。焼成工程では、施釉工程で施釉された便器２を焼き上げる。
このような製造工程を経て、図２及び図３に示すように、胴部２１及びリム部２２が接合さることで、便器２が製造される。
【００２１】
接合工程において接合される胴部２１及びリム部２２の詳細について説明する。
胴部２１は、図２及び図４に示すように、便器２の下方に配置され、図４に示すように、周壁２１１や、洗浄水の流路を構成する流路構成部２１２や、汚物受け面２１３などを有し、便器装置１の台座部分を構成する。
【００２２】
リム部２２は、胴部２１の上面に接合される。リム部２２は、平面視で中央に開口部２２１を有した環状に形成される。リム部２２は、胴部２１の上端部の周縁に沿うように配置され、胴部２１の上端部の外周縁から便器２の内側に張り出すように突出して形成される。
【００２３】
リム部２２は、図２に示すように、機能部４を収容する収容部として機能部収容部５を有する。機能部収容部５は、便器２の後方側において、リム部２２の上面に形成される。機能部収容部５は、機能部４（図１参照）を配置するために、便器２の上面から下方に窪むように形成される。機能部収容部５を便器２の上面から下方に窪むように形成することで、機能部４を低い位置に配置して、便器装置１の全体の高さを小さくできる。なお、本実施形態において、機能部収容部５は、便器２の左右に対称の形状である。そのため、本実施形態においては、機能部収容部５の左右方向の形状について、左右方向の一方側についてのみ説明する場合がある。
【００２４】
機能部収容部５は、図２及び図５に示すように、収容部側接合部１３から、便器２の左右方向の内側に延びて形成され、下り傾斜部５３を経て、窪んで形成される。機能部収容部５は、図２及び図５に示すように、一対の外壁部５１と、一対の中段部５２と、一対の下り傾斜部５３と、底面部５４と、を有する。一対の外壁部５１と、一対の中段部５２と、一対の下り傾斜部５３は、便器２の左右方向に離間して配置される。
【００２５】
図５に示すように、外壁部５１は、便器２の左右方向の外縁において、収容部側接合部１３から上方に立ち上がる（突出する）ように形成される。
中段部５２は、外壁部５１の下端から便器２の左右方向の内側に水平方向に延びる。
【００２６】
下り傾斜部５３は、中段部５２における便器２の左右方向の内側の端部から便器２の内側に向かうに従って下るように傾斜して延びる。下り傾斜部５３の傾斜角度αは、リム部２２における機能部収容部５の下部において、胴部２１とリム部２２とが接合されることを考慮して、胴部２１の上面に、接着部材としての泥しょうを載せやすい傾斜角度で形成される。例えば、下り傾斜部５３の傾斜角度αは、胴部２１の上面に接着部材としての泥しょうを載せやすいように、水平方向に対して、４５°以下であることが好ましい。例えば、本実施形態においては、下り傾斜部５３の傾斜角度αは、水平方向に対して、４５°である。
【００２７】
底面部５４は、下り傾斜部５３における便器２の左右方向の内側の端部から水平方向に延びる。底面部５４は、機能部収容部５における便器２の左右方向の中央に位置し、機能部収容部５における最も低い位置に形成される。底面部５４の上面には、機能部４が配置される。
【００２８】
便器２は、図２に示すように、胴部２１及びリム部２２の接合部として、外部側接合ライン１１と、第１内部側接合ライン１６と、第２内部側接合ライン１７と、収容部支持接合ライン１８と、を備える。胴部２１及びリム部２２の接合部の接合面は、外部側接合ライン１１、第１内部側接合ライン１６、第２内部側接合ライン１７及び収容部支持接合ライン１８の各ラインが延びる方向に直交する断面において、図５及び図６に示す外部側接合ライン１１のように、水平方向に幅を有した水平面となっている。
【００２９】
外部側接合ライン１１は、図２及び図３に示すように、便器２の外側の側面に沿って形成されている。外部側接合ライン１１は、便器２の上端部よりも下方の位置における便器２の上端部寄りにおいて、便器２の後部を除いた便器２の前方側に形成される。外部側接合ライン１１は、平面視で略Ｕ字形状に延びて形成されている。外部側接合ライン１１は、便器２の側面において外部に露出しており、便器２の外部から視認できる。なお、本実施形態において、外部側接合ライン１１は、便器２の左右に対称の形状である。そのため、本実施形態においては、外部側接合ライン１１における左右に対称の部分については、外部側接合ライン１１における左右の一方側についてのみ説明する。
【００３０】
外部側接合ライン１１（胴部２１とリム部２２の外周部の接合部）は、図２及び図３に示すように、前方側接合部１２と、収容部側接合部１３と、を有する。
【００３１】
前方側接合部１２は、図２及び図３に示すように、機能部収容部５よりも便器２の前方側における胴部２１とリム部２２との接合部である。前方側接合部１２は、収容部側接合部１３よりも前方側において、便器２の前方側に形成される略Ｕ字形状の部分に沿って形成される接合部である。
【００３２】
前方側接合部１２において、図６に示すように、胴部２１の側面に連続するリム部２２の端部２２ａの外面は、便器２の外方に凸となるＲ形状（以下、「Ｒ端形状」ともいう。）に形成される。リム部２２の端部２２ａの外面がＲ端形状を有することで、前方側接合部１２がＲ形状の端部の直ぐ下方に位置するため、胴部２１とリム部２２との接合部が目立ち難くなる。
【００３３】
収容部側接合部１３は、機能部収容部５における胴部２１とリム部２２との接合部である。収容部側接合部１３は、機能部収容部５における便器２の左右方向の両端部に形成される接合部である。
【００３４】
収容部側接合部１３の接合位置は、図３に示すように、上下方向において、前方側接合部１２の接合位置よりも下方に位置する。
従来、胴部２１とリム部２２との接合部の位置を下げると、胴部２１とリム部２２との接合部が、便器２の側面の上下方向の途中に位置するため、胴部２１とリム部２２との接合部における外部に露出する接合ラインが、便器２の上端部に近い側に位置するよりも、目立ちやすくなることがあった。
そのため、本発明においては、胴部２１とリム部２２との接合部について、前方側の前方側接合部１２よりも目に付きにくい後方側の収容部側接合部１３の接合位置を下方に位置させている。
【００３５】
収容部側接合部１３の接合位置（高さＨＳ）は、図５に示すように、上下方向において、リム部２２の外壁部５１の上端５１ａ（高さＨ１）と機能部収容部５の底面部５４（底部）の上面（高さＨ２）との間に位置する。
【００３６】
収容部側接合部１３は、図３に示すように、便器２の前方側から後方側に向かって、下り傾斜接合部１４と、上り傾斜接合部１５とが連続して形成されている。
下り傾斜接合部１４は、収容部側接合部１３における便器２の前方側に形成される。下り傾斜接合部１４は、後方側が下るように形成され、下方側が凸となるように湾曲して形成される。
上り傾斜接合部１５は、収容部側接合部１３における便器２の後方側に形成される。上り傾斜接合部１５は、下り傾斜接合部１４の後方側の端部に接続され、上り傾斜接合部１５は、後方側が上るように形成され、下方側が凸となるように湾曲して形成される。
【００３７】
収容部支持接合ライン１８は、図２に示すように、胴部２１とリム部２２における機能部収容部５の下部とを接合する接合部により構成される。収容部支持接合ライン１８は、機能部収容部５の中段部５２、下り傾斜部５３及び底面部５４の段差形状に沿って、収容部支持傾斜接合ライン１８ａを経て、便器２の内側に向かうに従って下る段差形状に形成されている。
【００３８】
第１内部側接合ライン１６及び第２内部側接合ライン１７は、図２に示すように、リム部２２の内周に形成され、主に、リム部２２の内部側において、洗浄水が流通する流通通路の通路壁を構成する部分における接合部である。
第１内部側接合ライン１６は、図２に示すように、リム部２２の内周における便器２の前後方向の中央付近において、洗浄水の流通通路の通路壁を構成する部分において接合されている。第２内部側接合ライン１７は、リム部２２の内周における便器２の前方側から中央側に沿って、洗浄水の流通通路の通路壁を構成する部分において接合されている。
【００３９】
ここで、外部側接合ライン１１、第１内部側接合ライン１６、第２内部側接合ライン１７及び収容部支持接合ライン１８において接合される胴部２１及びリム部２２の各部分について説明する。
【００４０】
胴部２１は、図４に示すように、その上面において、外周壁構成用胴部側壁部１２１と、第１通路構成用胴部側壁部１６１と、第２通路構成用胴部側壁部１７１と、一対の収容部支持胴部側壁部１８１，１８１と、を有する。
【００４１】
外周壁構成用胴部側壁部１２１は、図４に示すように、胴部２１における前方側の外周に沿って、略Ｕ字形状に湾曲して延びる。外周壁構成用胴部側壁部１２１は、胴部２１とリム部２２とが接合した状態において、外周壁構成用胴部側壁部１２１の上面が、リム部２２の外周壁構成用リム部側壁部１２２（後述）の下面と接合することで、図２に示すように、外部側接合ライン１１となる。
【００４２】
第１通路構成用胴部側壁部１６１は、図４に示すように、胴部２１における汚物受け面２１３の上端部の外周における便器２の前後方向の中央付近から前方側において、洗浄水の流通通路を仕切る仕切り壁である。第１通路構成用胴部側壁部１６１は、胴部２１とリム部２２とが接合した状態において、第１通路構成用胴部側壁部１６１の上面が、リム部２２の第１通路構成用リム部側壁部１６２（後述）の下面と接合することで、図２に示すように、第１内部側接合ライン１６となる。
【００４３】
第２通路構成用胴部側壁部１７１は、図４に示すように、胴部２１における汚物受け面２１３の上端部の外周における便器２の前方側から中央側において、汚物受け面２１３の上端部に沿って形成され、洗浄水の流通通路を仕切る仕切り壁である。第２通路構成用胴部側壁部１７１は、胴部２１とリム部２２とが接合した状態において、第２通路構成用胴部側壁部１７１の上面が、リム部２２の第２通路構成用リム部側壁部１７２（後述）の下面と接合することで、図２に示すように、第２内部側接合ライン１７となる。
【００４４】
収容部支持胴部側壁部１８１，１８１は、図４に示すように、胴部２１の左右方向に離間して一対設けられる。収容部支持胴部側壁部１８１は、胴部２１とリム部２２とが接合された場合におけるリム部２２の機能部収容部５の下方において、機能部収容部５の中段部５２、下り傾斜部５３及び底面部５４の段差形状に沿って、収容部支持傾斜胴部側壁部１８１ａを経て、便器２の内側に向かうに従って下る段差形状に形成されている。収容部支持胴部側壁部１８１は、胴部２１とリム部２２とが接合した状態において、収容部支持胴部側壁部１８１の上面が、リム部２２の収容部支持リム部側壁部１８２（後述）の下面と接合することで、図２に示すように、収容部支持接合ライン１８となる。
【００４５】
リム部２２は、その下面において、図４に示すように、外周壁構成用リム部側壁部１２２と、第１通路構成用リム部側壁部１６２と、第２通路構成用リム部側壁部１７２と、一対の収容部支持リム部側壁部１８２，１８２と、を有する。
【００４６】
外周壁構成用リム部側壁部１２２は、図４に示すように、リム部２２における前方側の外周に沿って、略Ｕ字形状に湾曲して延びる。外周壁構成用リム部側壁部１２２は、胴部２１とリム部２２とが接合した状態において、外周壁構成用リム部側壁部１２２の下面が、胴部２１の外周壁構成用胴部側壁部１２１の上面と接合することで、図２に示すように、外部側接合ライン１１となる。
【００４７】
第１通路構成用リム部側壁部１６２は、図４に示すように、リム部２２の内周における便器２の前後方向の中央付近から前方側において、洗浄水の流通通路を仕切る仕切り壁である。第１通路構成用リム部側壁部１６２は、胴部２１とリム部２２とが接合した状態において、第１通路構成用リム部側壁部１６２の下面が、胴部２１の第１通路構成用胴部側壁部１６１の上面と接合することで、図２に示すように、第１内部側接合ライン１６となる。
【００４８】
第２通路構成用リム部側壁部１７２は、図４に示すように、リム部２２の内周における便器２の前方側から中央側において、リム部２２の内周縁に沿って形成され、洗浄水の流通通路を仕切る仕切り壁である。第２通路構成用リム部側壁部１７２は、胴部２１とリム部２２とが接合した状態において、第２通路構成用リム部側壁部１７２の下面が、胴部２１の第２通路構成用胴部側壁部１７１の上面と接合することで、図２に示すように、第２内部側接合ライン１７（図２参照）となる。
【００４９】
収容部支持リム部側壁部１８２，１８２は、図４に示すように、リム部２２の左右方向に離間して一対設けられる。収容部支持リム部側壁部１８２は、リム部２２の機能部収容部５の下面において、機能部収容部５の中段部５２、下り傾斜部５３及び底面部５４の段差形状に沿って、収容部支持傾斜リム部側壁部１８２ａを経て、便器２の内側に向かうに従って下る段差形状に形成されている。収容部支持リム部側壁部１８２は、胴部２１とリム部２２とが接合した状態において、収容部支持リム部側壁部１８２の上面が、胴部２１の収容部支持胴部側壁部１８１の下面と接合することで、図２に示すように、収容部支持接合ライン１８となる。
【００５０】
以上説明した本実施形態の便器２によれば、以下のような効果を奏する。
本実施形態の便器２は、胴部２１と、胴部２１の上面に接合されるリム部２２と、を備える便器２であって、便器２は、便器２の後方側に形成され機能部４を配置するために下方に窪む機能部収容部５を有し、機能部収容部５における胴部２１とリム部２２との接合部である収容部側接合部１３の接合位置は、機能部収容部５よりも便器２の前方側における胴部２１とリム部２２との接合部である前方側接合部１２の接合位置よりも下方に位置する。
【００５１】
これにより、下方に窪む機能部収容部５を設けることで機能部４を低い位置に配置できる。更に、胴部２１とリム部２２との接合部について、前方側の前方側接合部１２よりも目に付きにくい後方側の収容部側接合部１３の接合位置を下方に位置させるため、便器２の後方側において、収容部側接合部１３の接合位置を下方に位置させることで、胴部２１とリム部２２との接合部を目立たなくすることができる。従って、機能部４を低い位置に配置できると共に、胴部２１とリム部２２との接合部について、外観の品位を向上できる。
【００５２】
また、本実施形態の便器２においては、機能部収容部５は、収容部側接合部１３から上方に立ち上がる外壁部５１を有する。そのため、外壁部５１が中空形状でないため、機能部収容部５の外壁の幅を狭くでき、機能部収容部５の水平方向の大きさを広くすることができる。
【００５３】
また、本実施形態の便器２においては、機能部収容部５は、外壁部５１の下端から水平方向に延びる中段部５２を有する。そのため、機能部収容部５の中段部５２においてリム部２２の底面を水平な面にすることができる。これにより、収容部側接合部１３において、胴部２１とリム部２２の水平な底面とを安定して接合できる。
【００５４】
また、本実施形態の便器２においては、収容部側接合部１３の接合位置は、上下方向において、リム部２２の外壁部５１の上端５１ａと機能部収容部５の底面部５４の上面との間に位置する。そのため、機能部収容部５において、収容部側接合部１３の接合位置を機能部収容部５の底面部５４の上面よりも上方に配置することで、機能部４を配置する空間を確保しつつ、胴部２１とリム部２２との接合部の位置の下げ幅を抑えることで、胴部２１とリム部２２との接合部の外観の品位を向上できる。
【００５５】
また、本実施形態の便器２においては、機能部収容部５は、収容部側接合部１３から、下り傾斜部５３を経て、窪んで形成される。そのため、機能部収容部５の窪みは、収容部側接合部１３から下り傾斜部５３を経て窪ませて形成される。これにより、下り傾斜部５３を経て機能部収容部５を形成することで、下り傾斜部５３により、機能部収容部５をより深く窪ませつつ、胴部２１とリム部２２とを接合できる。
【００５６】
また、本実施形態の便器２においては、前方側接合部１２において、胴部２１の側面に連続するリム部２２の端部の外面は、便器２の外方に凸となるＲ形状に形成される。
これにより、胴部２１の側面からリム部２２のＲ形状の端部が連続して形成されるため、前方側接合部１２がＲ形状の端部の直ぐ下方に位置するため、胴部２１とリム部２２との接合部が目立ち難くなる。これにより、胴部２１とリム部２２との接合部について、外観の品位を一層向上できる。
【００５７】
また、本実施形態の便器２においては、収容部側接合部１３は、収容部側接合部１３における便器２の前方側に形成され後方側が下る下り傾斜接合部１４と、収容部側接合部１３における便器２の後方側に形成され後方側が上る上り傾斜接合部１５と、を有する。そのため、機能部収容部５を形成する部分だけ、胴部２１とリム部２２との接合部の位置を下げることができる。これにより、胴部２１とリム部２２との接合部について、外観の品位を低下させることを最低限に抑えながら、機能部収容部５を窪ませて機能部４を低い位置に配置できる。また、便器２の後方側において後方側が上る上り傾斜接合部１５を有するため、便器２の後方側の壁部分において窪む部分が小さくなるため、便器２の後方側の壁部分の強度を確保することができる。
【００５８】
以上、本発明の便器装置１の好ましい実施形態について説明したが、本発明は、上述した実施形態に制限されるものではなく、適宜変更が可能である。
例えば、前記実施形態では、収容部側接合部１３において、後方側に上り傾斜接合部１５を設けたが、これに限定されない。下り傾斜接合部１４よりも後方側において、水平又は下方に延びるように形成してもよい。
【符号の説明】
【００５９】
２  便器
４  機能部
５  機能部収容部（収容部）
１２  前方側接合部
１３  収容部側接合部
１４  下り傾斜接合部
１５  上り傾斜接合部
２１  胴部
２２  リム部
５１  外壁部
５１ａ  上端
５２  中段部
５３  下り傾斜部
５４  底面部（底部）
【図１】
0006676435.tif 000002
【図２】
0006676435.tif 000003
【図３】
0006676435.tif 000004
【図４】
0006676435.tif 000005
【図５】
0006676435.tif 000006
【図６】
0006676435.tif 000007